(57)【特許請求の範囲】
【請求項１】
セルラーテレコミュニケーションネットワークにおいて、制御情報を基地局から移動局へ送信する方法であって、
第１のセル内の第１の基地局と、第２のセル内の第２の基地局とを備え、各基地局が各セルにおいて情報を移動局へブロードキャストするセルラーテレコミュニケーションネットワークにおいて、前記基地局から移動局へ制御情報を送信する方法であって、
第１の制御情報及び第２の制御情報を、前記第２のセルにおいて前記第２の基地局から送信する工程と、
前記第１のセルから前記第２のセルへのセルチェンジ、及び、前記第２のセルにおいて前記第２基地局から送信された前記第１の制御情報のリードに応じて、もし前記移動局が、別のセルにおいて受信した前記第２の制御情報を既に格納している場合には、前記第２のセルにおいて前記第２の基地局から前記第２の制御情報をリードする必要なく、前記移動局が前記第２の制御情報を前記第２のセルにおいて利用できるように、前記移動局が、前記移動局によってリードされた前記第１の制御情報の前記移動局による分析に基づき、前記第２の制御情報をリードするか否かを決定する工程と
を備え、
前記第１の制御情報が、前記第２のセルにおいて有効なタグ値を少なくとも１つ備え、
前記第２の制御情報が前記有効なタグ値に対応するシステム情報パラメータを少なくとも１つ備える
ことを特徴とする方法。
【請求項２】
前記第１の制御情報がさらに、前記第２のセルにおいて有効な少なくとも１つのタグ値、ネットワーク識別子、及び、セル識別子を含むヘッダーブロックを備えることを特徴とする請求項１に記載の方法。
【請求項３】
前記第１の制御情報が、第１のチャネルにおいて送信され、前記第２の制御情報が前記第１のチャネルとは異なる第２のチャネルにおいて送信され、前記第１の制御情報が、前記第２の制御情報が送信される前記第２のチャネルの識別子を更に備えることを特徴とする請求項２に記載の方法。
【請求項４】
前記第１の制御情報が、前記移動局が位置するセルにおいて有効な第１、第２に、及び第３のタグ値、及び、前記タグ値に対応するシステム情報ブロックが送信される複数のチャネルの識別子をさらに備えることを特徴とする請求項２に記載の方法。
【請求項５】
前記第２の制御情報が、前記第１及び第２のセルの夫々において有効なタグ値、及び、前記タグ値に対応するシステム情報パラメータ値を含むことを特徴とする請求項１に記載の方法。
【請求項６】
前記第２の制御情報が、前記タグ値に対応するシステム情報パラメータを含む制御ブロックの有効期限を含むことを特徴とする請求項５に記載の方法。
【請求項７】
前記セルチェンジが、第１のセルから第２のセルへ移動する前記移動局を備え、前記基地局が前記第２のセルに位置し、前記第２のセルに隣接する第３のセルに関連する情報を送信する工程をさらに備えることを特徴とする請求項１に記載の方法。
【請求項８】
前記第２の制御情報が、システム情報パラメータを含む制御ブロックの有効期限を含むことを特徴とする請求項１に記載の方法。
【請求項９】
セルラーテレコミュニケーションネットワークにおいて、基地局から移動局へ送信される制御情報を利用する方法であって、
第１の制御情報及び第２の制御情報を前記基地局から送信する工程と、
セルチェンジ及び新しいセルにおける前記基地局からの前記第１の制御情報のリードに基づき、もし、前記移動局が前記移動局が第２の制御情報を既に格納していると判断した場合は、前記移動局が新しいセルにおいて前記第２の制御情報をリードする必要がないように、前記移動局が、前記第１の制御情報の分析に基づき、前記第２の制御情報をリードするか否かを決定する工程と
を備え、
前記第１の制御情報が、前記新しいセルにおいて有効なタグ値を少なくとも１つ備え、
前記第２の制御情報が前記有効なタグ値に対応するシステム情報パラメータを少なくとも１つ備える
ことを特徴とする方法。
【請求項１０】
前記第１の制御情報および前記第２の制御情報が同一制御チャネルで送信されることを特徴とする請求項９に記載の方法。
【請求項１１】
前記移動局が、前記新しいセルへ入ったことに基づいて前記タグ値をリードする工程と、前記移動局が、前記タグ値に対応するシステム情報パラメータ値を格納又はキャッシュしているかどうかを決定することにより、前記タグを前記移動局が分析する工程と、
前記移動局が、前記タグ値に対応するシステム情報パラメータ値を格納又はキャッシュしているかどうかに基づき、前記移動局が、前記第２の制御情報をリードするかどうかを決定する工程と
を備えることを特徴とする請求項９に記載の方法。
【請求項１２】
第１及び／又は第２の基地局がそれぞれ位置する第１及び第２のセルを含むセルラーテレコミュニケーションネットワークにおいて、制御情報を利用する方法であって、
前記第１のセルにおいて、前記移動局が、タグ値及び前記タグ値に対応するシステム情報パラメータ値を前記第１の基地局から受信する工程と、
前記移動局が、前記第１のセルから前記第２のセルへ移動する工程と、
前記第２のセルにおいて、前記移動局が前記第２の基地局からタグ値を受信し、前記基地局から送信され前記移動局が受信した前記タグ値が、前記移動局が格納するタグ値に対応するかどうかを決定し、もし対応する場合は、前記第２のセルにおいて前記システム情報パラメータを再リードする必要なく、前記移動局が前記格納されたタグ値に対応する前記システム情報パラメータを利用する工程とを備えることを特徴とする方法。
【請求項１３】
移動局及び第１の制御情報及び第２の制御情報を送信する基地局を備えるネットワークであって、
前記移動局は、前記基地局が位置する新しいセルへのセルチェンジ、及び、前記第１の制御情報の前記基地局からのリードに応じて、もし前記移動局が前記第２の制御情報を既に格納している場合には、前記新しいセルにおいて前記基地局から前記第２の制御情報をリードする必要なく、前記移動局が前記第２の制御情報を前記新しいセルにおいて利用できるように、前記第１の制御情報の分析に基づいて前記第２の制御情報をリードするかどうかを決定し、
前記第１の制御情報が、前記新しいセルにおいて有効なタグ値を少なくとも一つ備え、
前記第２の制御情報が、前記有効なタグ値に対応するシステム情報パラメータを少なくとも一つ備えることを特徴とするネットワーク。
【請求項１４】
前記第１の制御情報及び前記第２の制御情報が、前記基地局により前記移動局へ異なる制御チャネルにて送信されることを特徴とする請求項１３に記載のネットワーク。
【請求項１５】
前記移動局が、新しいセルへ入ったことに伴い前記タグ値をリードし、かつ、前記タグに対応するシステム情報パラメータ値を前記移動局が格納、又は、キャッシュしているかどうかを決定し、前記移動局が、前記タグに対応するシステム情報パラメータ値を前記移動局が格納、又は、キャッシュしているかどうかに基づき、前記新しいセルにおいて、前記基地局から前記第２の制御情報をリードするかどうかを決定することを特徴とする請求項１３に記載のネットワーク。
【請求項１６】
第１のセル内の第１の基地局と、第２のセル内の第２の基地局と、前記第１及び第２のセル間を移動可能な移動局とを備えるセルラーテレコミュニケーションネットワークであって、
前記第１の基地局が、前記第１のセル内において前記移動局へ、第１の制御情報を送信し、該第１の制御情報は前記第２のセルにおいて有効であることを示す情報を含み、
前記移動局が、前記第１の制御情報を格納するメモリーを備え、
前記移動局が、第１のセルから第２のセルへ移動した場合に、前記移動局は、前記第２のセルにおいて前記第２の基地局から前記第１の制御情報をリードする必要なく、前記第２のセルにおいて前記第１の制御情報を利用し、前記第１の基地局は、前記第１のセルにおいて有効な第２の制御情報を前記第１のセルにおいて前記移動局へ更に送信し、前記第２の制御情報が前記第１のセルにおいて有効であることを前記移動局に指示し、
前記第１の基地局が、第１の制御情報を前記第２の制御情報よりも長い反復インターバルで送信し、
前記第１の制御情報は、前記第２のセルのためのシステム情報パラメータを含み、
前記第２の制御情報は、前記第１のセルのためのシステム情報パラメータを含むことを特徴とするネットワーク。
【発明の詳細な説明】
【０００１】
【発明の属する技術分野】
本発明は、セルラー通信ネットワークにおいてシステム情報のブロードキャストするためのシステム及びこれに対応する方法に関連する。
【０００２】
【従来の技術】
典型的なセルラー通信システムにおいて、地理的エリアは、いくつかの「セル」に分割され、それぞれは、制限された無線カバーエリアを有する基地局（ＢＳ）によってサービスされる。基地局は移動通信交換局（ＭＳＣ）に接続され、ＭＳＣは公衆交換電話網（ＰＳＴＮ）に接続されている。セルラー無線システムもしくはネットワークの各ユーザー（モバイル加入者）には、ポータブル、ポケット、ハンドヘルドもしくは車載の移動局（例えば、セル電話）が与えられ、当該移動局（ＭＳ）は、当該移動局が位置するセルを定義する隣接基地局と音声情報及び／又はデータを通信する。基地局と通信しているＭＳＣは、当該システム内又は、ＰＳＴＮの陸上電話において、移動局（ＭＳ）と他の移動局との間で呼を交換したり、シグナリングの制御を行う。
【０００３】
移動局と対応する基地局間の無線通信リンク（無線インターフェース）は、多数の異なるロジカルチャネルを含む。このロジカルチャネルは大きく二つのカテゴリーに分割される。それは、トラヒックチャネルと制御チャネルである。トラヒックチャネルは、基地局によって定義されるセル内を移動する特定のＭＳと呼データ（例えば音声データ）を通信するために、サービスする基地局制御装置によって利用される。制御チャネルは、ＭＳとの呼データの接続を実現するために必要な制御データを通信するために、サービスする基地局制御装置によって利用される。典型的な制御チャネルは、ブロードキャストチャネル（ＢＣＨ）、共通制御チャネル（ＣＣＣＨ）及び専用制御チャネル（ＤＣＣＨ）を含む。これら３種の制御チャネルそれぞれは、サービスする基地局（ＢＳ）と移動局（ＭＳ）との間の異なるタイプの情報を送信するための多数のロジカルチャネルにさらに分割されてもよい。ブロードキャスト制御チャネルは、例えば、ブロードキャストする基地局によって定義されるセルに関する一般的なシステム情報を、当該セル内もしくは近隣セル内に位置する移動局ブロードキャストするために利用されても良い。
【０００４】
セルラー通信システムもしくはネットワークでは、システム情報パラメータは、ネットワークコンフィギュレーション、アダプテーション及び最適化可能性 を提供するために定義される。これらのパラメータ値のいくつかは、移動局によって、当該移動局が最初にアクセスを試みる以前に知られていなければならない。ゆえに、パラメータ（セルパラメータもしくはシステム情報パラメータ）は、当該ネットワークの全てのセルにおいて制御チャネルを介してシステム情報メッセージの形式で、典型的にコンスタントにブロードキャストされる。また、移動局（ＭＳ）は、一般には、アクセスを試行する以前にＭＳからのすべての必要なシステム情報パラメータを受信するまで待たねばならない。典型的なセルパラメータ（もしくはシステム情報パラメータ）は、セル記述、ロケーションエリア識別情報、近隣セル記述もしくは関係、物理セルパラメータセルトラヒック負荷、トラヒック測定情報及び／又はコアネットワーク情報を含んでいる。簡単のために、あるセルもしくはシステムの情報パラメータは、ここにおいて"Ｍ"、"Ｎ"、"Ｒ"、"Ｓ"、"Ｔ"、"Ｘ"、"Ｙ"及び／又は"Ｚ"として引用される。
【０００５】
今日のセルラーシステム又はネットワークにおけるシステム情報の量は膨大である。ＭＳがそのような情報の全てをリードしなければならないとすると、セルチェンジ（セルは、ＭＳがあるセルから別のセルに移動する際に変わる。）に伴う登録もしくはアクセス試行において遅延を生ずることとなる。さらに、ＭＳがアイドルモードもしくはスタンバイモードにある場合には、ＭＳは所定の時間インターバルでシステム情報更新するためにこれをチェックする必要がある。ネットワーク全体の多くの移動局によるこのシステム情報のリードは、膨大な無線リソースを必要とすると共に、各ＭＳに許容される最大のスタンバイ時間と同様に各移動局のバッテリーライフを減少させる。
【０００６】
セルラーネットワークオペレータは、しばしば、セルグループ又は全体のネットワークの多くのシステム情報パラメータについてある一定値を利用してもよい。そのような状況では、どのシステムパラメータが変化し、変化していないかがＭＳには分からないので、システム情報の全てをコンスタントにもしくは、セルチェンジの度に再リードする。
【０００７】
このように、従来のセルラー通信システムにおけるシステム情報のブロードキャストに関する問題が以下の点を含むことは、上記から明らかである。第１に、ＭＳは、実際は、先にリードしたパラメータと同一かもしれないシステム情報パラメータの再リードを（例えば、セルチェンジの度に）強制される。これは、リソースの効果的な利用にはならない。第２に、大量のシステム情報をリードすることは、ＭＳ及び全体のネットワークの膨大な無線リソースを必要とし、ＭＳのバッテリー消費に大きな影響を与える。第３に、システム情報パラメータは、特定の規格によって定義されており、新しい特性（feature）及び／又はパラメータがシステムに導入されたときに変更するのが困難である。第４に、基地局による送信システム情報ブロックの送信順番は、規格によって定義されているので、新しい特性及び／又はパラメータがシステムに導入されてから変更するのは困難である。
【０００８】
上記第２の問題を解決するための一つのアプローチは、ここにおいて引用により記載に代える米国特許第５，４０４，３５５に開示されている。３５５特許において、システム情報要素は、グループ化され、情報要素の値が変更されたかどうかを示す変更フラグが提供される。当該変更フラグ及び情報要素は、制御チャネルで送信される。従って、ＭＳは、情報が変更されていない所定のセルにおいては当該システム情報を１度だけリードすればよい。しかしながら、３５５特許の当該システムも、やはり問題を有する。例えば、セルを交換する場合は（各セルごとに）、ＭＳがシステム情報パラメータの全てをリードしなければならないという必要性を排除できない。その代わりに、ＭＳは、新しい制御チャネルにロックオンした時（セルチェンジの際）は常に、全てのシステム情報をリードしなければならない。
【０００９】
上記の観点から、前記４つの問題の１以上を解決するシステム及び／もしくはこれに対応する方法が必要とされることは、当業者には明らかであろう。例えば、システム情報パラメータがあるセルから別のセルへ移動しても実際には全く変化していない場合に、ＭＳが、当該システム情報パラメータをセルチェンジの度に再度リードすることの必要を減少させるシステム及び／又は方法が必要とされている。
【００１０】
[発明の概要]
セルラーテレコミュニケーションシステムもしくはネットワークにおいて、システム情報はＵＴＲＡＮからセル内のアイドルモード及び／又は接続モードの移動局にブロードキャストされる。本質的に、当該システム情報は、マスター情報ブロック及びアンダーライイング（下層）システム情報ブロックを含むツリー構造で構成されていてもよい。マスター情報ブロックは、マスターチャネルでブロードキャストされ、受信ＭＳに対し、それらのシステム情報ブロックのスケジューリング情報を含むセル内の多数のシステム情報ブロックのリファレンスを与える。システム情報ブロックは、同一もしくは同様の性質を有するシステム情報要素とグループとなる。ブロードキャストされる異種のシステム情報ブロックは、例えば、ＭＳに対するシステム情報ブロックの再リードの反復率及び／又はその要求に関するもののような異なる特性を有していてもよい。当該システム情報ブロックは、現実のシステム情報パラメータ及び／又は他のシステム情報ブロックのスケジューリング情報を含む他のシステム情報ブロックのリファレンスを含む。
【００１１】
ある実施形態においては、タグがマスター情報ブロックにおいてブロードキャストされる。タグは、１以上のシステムパラメータと互いに関連する。例えば、所定のタグ値は、３つの独立したシステム情報パラメータの特定の値を示しても良い。各セルにおいて基地局（ＢＳ）は、当該セルのために制御チャネルで現在有効なタグ値を送信又はブロードキャストする。当該システム情報パラメータを含むシステム情報ブロックは、順に基地局（ＢＳ）によって各セル内において同一もしくは他の制御チャネルでブロードキャストされる。移動局（ＭＳ）が新しいセルに入り、新しい制御チャネルにロックオンすると、ＭＳは、当該新しいセルにおいてマスター制御チャネルを介して有効なタグ値をリードする。もしＭＳがそれをすでに格納しており、及び／又はＭＳが有効なタグ値の全てに対応する当該システム情報パラメータを利用しているならば、新しいセルにおいてセルチェンジの際に、当該システム情報パラメータをリードする必要はない。しかしながら、もしＭＳが、有効な新規セルにおけるタグ値に対応する特定のシステム情報パラメータを格納していない場合は、ＭＳは必要なシステム情報パラメータをリードする。このように、本発明の１の実施形態においては、セル内におけるいくつかのタグの利用には、システム情報の一部を含むそれぞれのタグが提供される。ゆえに、セル内におけるタグのサブセットの変更が可能となり、ＭＳは適当な新規システム情報のみをリードすればよくなる。
【００１２】
当業者によって容易に理解されるように、本発明の異なる実施形態は、１以上の以下の利点を有する。例えば、ＭＳはセルが変わるたびに、もしくは、同一セル内を移動する場合に、同一のシステム情報を再リードする必要が無くなる。このことは、無線リソースを保護し、ＭＳのバッテリー消費を抑えることになり、ＭＳのスタンバイ時間を改善することとなる。他の利点は、セルチェンジの度に行われる全ての新規システム情報パラメータのリードに関連する遅延を、有効タグ値がセルチェンジの際に変化していない場合は、すでに格納されているシステム情報パラメータを再利用することにより削減することができる。ある実施形態においては、未だＭＳによって格納されていない新規システム情報パラメータについてのみ、ＭＳがセルチェンジした際にリードしなければならない。
【００１３】
本発明の上記及び他の目的、特徴、利点は、添付図面と同様に、以下の好適な実施形態についての記述から明らかである。当該添付図面においては、類似部分については同一の引用番号を用いている。個々の機能ブロック及び要素が多数の図面において示されている一方で、当業者は、これらの機能が個々のハードウェア回路、適切にプログラムされたディジタルマイクロプロセッサもしくは汎用コンピュータ、ＡＳＩＣ、及び／又は１以上のＤＳＰによって実現可能であることを容易に理解するであろう。
【００１４】
【図面の簡単な説明】
以下の記載は、説明を目的としたものであって、限定を目的とするものではない。また、特定の詳細事項は、特定の実施形態、ネットワーク構成、シグナルフロー、プロトコル、技術事項などによって、本発明の理解のために説明される。しかしながら、本発明は、これらの詳細とは別の他の実施形態において実施されても良いことは当業者には自明の事項である。例えば、本発明は、移動無線符号分割多元接続（ＣＤＭＡ）通信システムについて開示するが、本発明を他の通信システム、例えば時分割多元接続（ＴＤＭＡ）のような通信システムに適用しても良い。また、不必要な詳細により本発明の記述をあいまいにするのを避けるべく、特定の場合は、周知方法、インターフェース、装置、プロトコル信号技術の詳細な説明を省略する。
【００１５】
図１は、本発明が実装されても良い典型的なユニバーサル移動電話通信システム（ＵＭＴＳ）を示す。交換回線、外部コア、ネットワーク１は、例えば、公衆交換電話網(ＰＳＴＮ)及び／又は（サービス総合デジタル網）ＩＳＤＮである。別の回線交換、外部コア、ネットワークは、別の公衆陸上移動通信網（ＰＬＭＮ）３であってもよい。パケット交換、外部コアネットワーク５は、例えば、インターネットのようなＩＰネットワークであってもよい。コアネットワークは、対応するネットワークサービスノード７と組になっている。ＰＳＴＮ／ＩＳＤＮネットワーク１及び／又は他のＰＬＭＮネットワーク３は、移動通信交換局（ＭＳＣ）のような回線交換サービスを提供する回線交換コアネットワーク（ＣＳＣＮ）９に接続されている。ＵＭＴＳは、ＧＳＭのような既存のセルラーネットワークと共存しても良い。ここで、ＭＳＣ９は、インターフェース１１を介して基地局サブシステム１３と接続され、基地局サブシステム１３は、無線基地局（ＢＳ）１５にインターフェース１７を介して接続されている。
【００１６】
パケット交換ネットワーク５は、インターフェース１９を介して、例えば汎用パケット無線サービス（ＧＰＲＳ）のようなノードパケット交換コアノード（ＰＳＣＮ）２１に接続されている。ＰＳＣＮ２１は、ＧＳＭシステムにおいてパケット交換型サービスを提供し、時としてサービングＧＰＲＳサービスノード（ＳＧＳＮ）として引用される。これらのコアネットワークサービスノード９、２１のそれぞれも、無線接続網インターフェースを介してＵＭＴＳ地上無線アクセス網（ＵＴＲＡＮ）２３に接続されている。ＵＴＲＡＮ２３は、無線ネットワーク制御装置（ＲＮＣ）２７をそれぞれ有する１以上の無線ネットワークシステム（ＲＮＳ）２５を含み、当該ＲＮＣ２７は、複数の基地局（ＢＳ）２８及びＵＴＲＡＮ２３内の他のＲＮＣと組なる。各ＢＳ２８は、とりわけ少なくとも１の送受信機及び基地局制御装置を含む。
【００１７】
好ましくは、無線インターフェース２９を介する無線接続はワイヤレスであり、かつ、ＣＤＭＡチャネライゼイションもしくは拡散符号を利用した、個々の割り当てられた無線チャネルを伴うワイドバンドＣＤＭＡ（ＷＣＤＭＡ）技術に基づくものである。もちろん、例えば、ＴＤＭＡもしくは他のタイプのＣＤＭＡなどの、他の接続方法を変わりに採用しても良い。ＷＣＤＭＡは、広い帯域幅を提供し、セルチェンジが行われた場合のような周波数変化環境において高品質サービスの提供を保証するために、ダイバーシチハンドオフのようなロバスト特性と同様に高転送レートを与える。各移動局（ＭＳ）３０は、ＢＳ１５、２８が当該特定のＭＳからの送信を識別するために、それぞれ固有のスクランブルコードが割り当てられていてもよいし、もしくは、ＭＳは、基地局のスクランブルコードをＭＳ特有のチャネライゼイションコードと共に利用しても良い。各ＭＳは、また、固有のスクランブルコードを、一般のブロードキャストチャネル又は共通チャネルでの基地局１５、２８からの送信、又は、当該ＭＳへ特に意図された送信を識別するために利用しても良い。
【００１８】
上記のように、基地局（ＢＳ）１５、２８の無線送信は、"セル"として知られる地理的エリアをカバーする。各ＢＳ１５，２８は、１以上のセクターを有するセルを定義する。特定のＢＳによって定義されるセル内の各ＭＳ３０は、少なくとも当該ＢＳとワイヤレス無線インターフェース２９を介して通信を行う。以下の記載から明らかになるであろうように、本発明は、第１に基地局１５、２８と移動局３０のワイヤレスインターフェース２９を介した通信を扱うものである。
【００１９】
図２は、図１のシステム／ネットワークにおいて利用されても良いＭＳ３０の簡単化された機能ブロック図であり、本発明の１の実施形態を示すものである。ＭＳ３０は、アンテナ３１を、基地局１５、２８との無線インターフェース２９を介した信号の送受信のために備える。アンテナ３１は、送信機３５と組となった変調器３３及び受信機３９と組となった復調器３７を含む無線送受信回路と組になっている。無線送信信号は、トラヒック信号と同様に、ここに記載されるようなマスター及び／又はスレーブ制御チャネル上の制御信号を含んでいても良い。データ処理及び制御ユニット４１、メモリー４３は、ＭＳ３０のオーディオ、ロジック、及び制御機能を実現するための回路を含んでいても良い。メモリー４３は、以下に記載するようなプログラム、データ及びシステム情報パラメータキャッシュ（例えば、システム情報パラメータ等の情報ブロック、及び／又は、有効タグ値に対応するシステム情報値）を格納しても良い。従来のスピーカー、もしくはイヤホン４５、マイク４６、キーパッド４７及びディスプレイは、データ処理及び制御ユニット４１と組になっており、ＭＳ３０（例えばセル電話）のユーザーインターフェースを確立する。バッテリー４９は、ＭＳを動作させるために、さまざまな回路に必要な電力供給を行うのに利用される。以下に説明する本発明の実施形態から理解されるように、バッテリー４９の寿命は、本発明の発明的側面により延長されるであろう。
【００２０】
図３は、ＲＮＣ２７と通信する典型的な基地局（ＢＳ）１５、２８のブロック図である。図示されるように、各ＢＳは、ＲＮＣ２７との通信に関連する処理を実行するデータ処理及び制御ユニット５１を含み、当該データ処理及び制御ユニット５１は、１以上のアンテナ５４に接続された送受信機５３を含む基地局無線装置と関連する多くの測定及び制御動作を実行しても良い。基地局１５、２８は、各基地局において、制御ユニット５１、送受信機５３、及び交換ターミナルがＡＴＭ交換コアを介して相互接続されていても良いように、ある実施形態においてはＡＴＭ（非同期転送モード）ベースである。制御ユニット５１は、また、さまざまな制御チャネルでどの情報がＢＳから送信され、いつそのような情報が送信されるかを制御するように機能する。
【００２１】
本発明によれば、同等の内容を有するシステム情報ブロックを識別するための"タグ"の利用を通じ、同一システム情報ブロックは、セルチェンジにおけるＭＳの低アクセス遅延及び低消費電力を達成するために共有される。セル間におけるシステム情報のそのような共有及びパラメータをシェアするネットワークエリアの柔軟な環境は、本発明の実施形態に関連する重要な利益である。各移動局３０のメモリー４３に格納されているシステム情報パラメータは、システム情報パラメータグループ及びネットワーク区分に依存する１以上のセルでＭＳ３０によって利用されても良い。各セルにおいて、ＢＳは、当該セルの有効タグ値のリストをセル内の移動局３０に対し、制御チャネルでブロードキャストしても良い。ブロードキャストされる有効タグ値によれば、受信ＭＳ３０は、ＭＳが位置するセルにおいて有効な当該タグ値に対応する当該パラメータをすでに格納しているかどうかにより、当該有効タグ値に対応するＢＳによってブロードキャストされるであろうシステム情報パラメータをリードしてもよいし、しなくても良い。
【００２２】
従って、本発明の実施形態は、セルラー通信ネットワークの多くのセルが同一手法によって構成されるという利点を享受することができる。しかしながら、コンフィグレーション設定を共有する特定の地理的エリアもしくはセル（及び潜在的に同一のシステム情報パラメータ）は、ネットワーク特有のものであり、標準規格が確立された時点では一般に知られていない。特に、これらのエリアは、ロケーション／ルーティングエリアのような既に定義された論理エリアと同一視されなくてもよいが、かわりに、（例えば、トラヒックもしくは地理的）環境もしくは利用するハードウェアのようなダイナミックファクターに依存しても良い。本発明に対応して、システム情報は、セルラーネットワークオペレーターによって定義されるエリアにおいて共有されても良い。
【００２３】
ある実施形態においては、セルラーネットワークオペレータは、さまざまなセル制御チャネルでブロードキャストするために、システム情報パラメータをどのようにグループ化するかを決定しても良い。言い換えれば、パラメータグループ化は、標準仕様によるよりも、セルのブロードキャスト制御チャネルで特定されてもよい。結果として、ある実施形態では、ネットワークオペレータは、標準規格がドラフトされた時点において予見できるものよりも、より効果的なグループ化が特定のネットワーク又はサブネットワークについて可能かもしれない。このように、ある実施形態において、本発明の実施形態に対応したシステム及び／又は方法は、将来のニーズに対応した将来の標準規格発展に対する柔軟性を提供するものである。
【００２４】
本発明の実施形態によれば、図４は、基地局（ＢＳ）２８ａで定義される第１のセル（旧セル）から、基地局（ＢＳ）２８ｂによって定義される第２のセル（新セル）へ移動する移動局（ＭＳ）３０を示す。旧セル内のＢＳ２８ａは、旧セルにおいて有効なタグ値（例えばタグ値１７）をマスター制御チャネルでブロードキャストする。図４に示されるように、基地局２８ａは、当該タグ値１７が旧セルにおいて有効であることをマスター制御チャネルでブロードキャストし続ける。基地局２８ａは、他の制御チャネル、例えばスレーブチャネルで、タグ値１７に対応するシステム情報パラメータを含む少なくとも１のシステム情報ブロック５５をブロードキャストする。図４において、ブロック５５において、システム情報パラメータＸ、Ｙ及びＺに対する以下の値がブロードキャストされる。Ｘ＝５、Ｙ＝１３及びＺ＝８（すなわち、これらのパラメータは、１７のタグ値に対応する）。
【００２５】
マスター及びスレーブチャネルがマスターブロック５７及びシステム情報ブロック５５をそれぞれ送信するために、ここに記載される実施形態において利用される一方で、このケースは本発明の全ての実施形態において必要とされるものではない。例えば、本発明のある実施形態では、マスターブロック（すなわち、ヘッダーブロック）５７及びシステム情報ブロック５５は、同一の制御チャネルにおいて送信されても良い。
【００２６】
図４に示されるように、タグ値１７は、基地局２８ｂによって定義される新セルにおいても有効である。言い換えれば、同一のシステム情報パラメータ（Ｘ＝５、Ｙ＝１３及びＺ＝８）が、有効であり、旧セル及び新セルの両方において利用される。このように、基地局２８ｂは、また、当該タグ値１７が有効であることを示す情報をマスター制御チャネルにて送信し、少なくとも１のシステム情報ブロック５５をそのスレーブ制御チャネルの１にて送信する。
【００２７】
再度図４を参照すると、基地局２８ａによって定義される旧セルにおいて、ＭＳ３０はパラメータＸ＝５、Ｙ＝１３及びＺ＝８を利用する。ＭＳ３０は、これらのパラメータの変化をみるために、旧セルのマスター制御チャネルを監視するだけでよい。基地局２８ａが当該タグ値１７がセル内で有効であることをブロードキャストする限り、ＭＳ３０は、当該セル内では、スレーブチャネルのような他のチャネルでブロードキャスト又は送信されるシステム情報ブロックを監視又は再リードする必要は無い。ＭＳ３０が旧セルから新セルに移動した場合、ＭＳは新基地局２８ｂのマスター制御チャネル（すなわち新しいマスター制御チャネル）にロックオンする。タグ値１７が新セル内において有効であることを示す情報を基地局２８ｂがマスター制御チャネルで送信しているとの決定に基づき、ＭＳ３０は、当該タグ値に対応するシステム情報パラメータが既に格納されていると結論し、旧セルにて使用していたものと同一のシステム情報パラメータを利用できることを認識する。このように、ＭＳが新規セルにおいて基地局２８ｂによって送信されるシステム情報パラメータをブロック５５を介し他の制御チャネルでリードもしくは再リードする必要は無い。
【００２８】
所定のセルにおいて、セル内で有効なシステム情報パラメータが変更されれば、タグ値は変更される。また、有効なタグ値が、あるセルと別のセルとで変化してもよい。移動局３０は、将来の他のセルにおける利用及び現在ＭＳが位置するセル内での利用のため、受信したシステム情報ブロック５５をメモリ４３内に格納又はキャッシュする。同一タグ（及びこれに対応するシステム情報パラメータ値）は、例えば、複数のセルを含むロケーションエリア、ルーティングエリア又はセルラー通信ネットワークワーク全体など、柔軟に定義されるいかなるグループセルにおいても有効であって良い。所定のセルでは、当該セルにおいて有効なタグ及び他のタイムクリティカルなパラメータが、サービスするＢＳによってマスター制御チャネルにてブロードキャストされてもよく、１以上のスレーブチャネルは、有効タグに対応するパラメータ自体の値を含む実際のシステム情報ブロック５５をブロードキャストするためにＢＳによって利用されても良い。
【００２９】
移動局３０がセルチェンジを行った場合、当該移動局に新セルにおいて有効なタグを迅速に通知することが重要である。ゆえに、当該情報は、ここではマスターチャネルとして引用される特定のチャネルにて送信される。有効タグに関する情報は、ヘッダーブロック５７を介して送信される（図７、８参照）。各ヘッダーブロックは、例えば、当該セルにおいて現在有効な全てのタグ値を含んでいても良い。ヘッダーブロックに加えて、各有効タグ値に対応するシステム情報パラメータが、ここではスレーブチャネルとして引用される潜在的にビットレートの異なる１以上の他のチャネルで基地局によって送信されるシステム情報ブロック５５に分割される。マスター及びスレーブチャネルは、ロジカルチャネル、トランスポートチャネル又は物理チャネルですら異なっていても良い。しかしながら、移動局が新セルに入った場合に、スレーブチャネルのような他のチャネルをリードすることにより時間又はリソースを消費することなく、ＭＳ３０がこれらのチャネルのうちの一つのみ（すなわち、マスターチャネル）をリードすればよいことが好ましい。
【００３０】
図５は、異なるシステム情報のブロックについて異なるセル内で異なるタグが利用されるネットワークを通りセルからセルへＭＳ２０が移動することに応じた、複数のセルチェンジを示す図である。ＭＳ３０は、セルＡからスタートし、セルＢ、セルＣ、セルＤ、セルＥ，セルＦ、セルＧを経てセルＨへ至る。各セルは固有の基地局２８によって定義される。図５のセルＡ及びセルＢは、図４に示す旧セル、新セルと同一である。図４、５を参照すると、タグ値１７（すなわち、Ｘ＝５、Ｙ＝１３及びＺ＝８）は、Ａ、Ｂ、Ｃ、Ｄ、Ｇ及びＨの各セルにおいて有効である。しかし、セルＥ及びＦでは有効ではない。ＭＳ３０は、同一システムセッティングのセルからセルへ移動する際に、新セルの基地局ＢＳからブロードキャストされる制御チャネルからパラメータを再リードすることなく、格納されている同一システム情報を将来利用するために、システム情報ブロック５５をキャッシュ又は格納する。
【００３１】
図５のセル境界（すなわち、ＭＳ３０によるセルチェンジ）における丸印は、あるセルから別のセルに移動する際に、同一タグ値が有効であることを示すものであり、ＭＳは、単にキャッシュされたシステム情報パラメータを、新しいシステム情報パラメータ値をリードする代わりに利用してもよい。セルチェンジの際、ＭＳは、マスター制御チャネルを旧セルからドロップし、新セルのＢＳの新マスター制御チャネルへロックオンする。ＭＳは、新セルの当該マスター制御チャネルから、当該新セルにおいて有効なタグをリードする。もし、ＭＳが新セルにおいて有効なタグ値に対応するパラメータを既に格納している場合は、ＭＳは、新セルにおけるパラメータ値を最初にリードまたは再リードすることなくそれらの値を利用することができる。
【００３２】
しかしながら、セルＤからセルＥへ移動する（すなわち、セルチェンジに伴い有効タグ値が変化する）場合、セル境界のバツ印は、ＭＳが新システム情報パラメータ値をセルＥにおいて一度リードしなければならないことを示している。というのも、当該パラメータ値はまだ格納されていないからである。例えば、図５において示される３ヶ所のバツ印のある地点では、ＭＳは新システム情報パラメータ値をネットワークからリードしなければならない。すなわち、バツ印１は、登録地であり、バツ印２は、有効タグ値が変化し、新システム情報パラメータが利用されるセルＤからセルＥへの移動地点であり、バツ印３は、有効タグ値が元に戻るセルＦからセルＧへの移動地点である。セルＤからセルＥへのセルチェンジでは、ＭＳはセルＥの新マスター制御チャネルへロックオンし、当該セルＥにおいて有効なタグ４２をリードする。ＭＳは、それが現在格納されているシステム情報パラメータではない、又は、タグ４２に対応するパラメータ値ではないと判断し、タグ４２に対応する新システム情報パラメータ値を、それをセルＥ内でＭＳが利用する前に、セルＥ内のスレーブチャネルでアクセスしてリードしなければならないと判断する。
【００３３】
本発明のある実施形態において、ＭＳ３０は、途中で異なる値のセルを訪れた場合でも、以前訪れたセルもしくは、以前訪れたセルのタグ値を利用するセルへ戻る場合に、ＭＳ３０が格納された又はキャッシュされたパラメータ値を利用できるように、多くの異なるセルからのシステム情報ブロック５５をメモリー４３内に格納又はキャッシュできるように構成されていても良い。言いかえれば、図５のバツ印３のような新システム情報値のリードは、そのような実施形態では排除されても良い（即ち、ＭＳは以前のセルＡからＤまでのいずれかにおいてセルＧのタグ値１７のパラメータを格納していてもよい。）。そのような実施形態では、例えばセルＡにおいて、ＭＳ３０は、セルＡからセルＢ−Ｈを移動する場合に、システム情報ブロック５５をそのメモリーに保持する。このように、ＭＳはセルＢ、Ｃ及びＤに入った時に、スレーブチャネルで新システム情報ブロック５５を再リードする必要がない。さらに、タグ１７に対応するブロック５５は、ＭＳ３０がセルＥ及びＦにいる間も（これらの二つのセルにおいて当該ブロックが利用されることがなくても）、メモリー４３で保持される。ＭＳは一旦セルＧへ入ると、タグ値１７が再び有効であると決定する。ＭＳは、単にタグ値１７に対応するブロック５５をメモリーから検索し、セルＧ内でスレーブ制御チャネルからシステム情報ブロック５５を再リードすることはない。これは、さらに、バッテリー消費を抑え、セルチェンジの効率を改善するものである。
【００３４】
ある実施形態では、ＭＳ３０が一旦電源が切られ、再び電源が投入された時、もし同一セル、又はセルグループに位置する場合、及び／又は同一タグが依然有効である場合は、格納された又はキャッシュされたパラメータ値を利用することができる。ＭＳが電源投入され、若しくはセルチェンジした時、ＭＳは、新セル（又は、電源投入された時に位置するセル）において、ＭＳが位置する新セルの基地局２８によって利用されるマスター制御チャネルから、どのタグが有効であるかを確認する。もし、ＭＳが既に新セルの全ての有効タグを格納している場合は、ＭＳは単にバッテリセービングモードに移行するか、そこに戻る。しかしながら、もしＭＳ３０が、新セルにおいて有効であるとリストされるタグのパラメータを格納していない場合は、ＭＳは対応する情報を、ブロードキャスト又は新セルのスレーブ制御チャネルで送信されるシステム情報ブロック５５を介してリードする。
【００３５】
図４、５は、各セルにおいて基地局によって送信される単一タグ値のみを示し、複数タグ値は、本発明のある実施形態に対応したセルのそれぞれにおいて有効である。このように、いくつかのシステム情報ブロック５５は、異なる方法で変化するパラメータを効果的に扱うために、同一セル内において同時に利用されても良い。例えば、いくつかのパラメータは、ロケーションエリア又はルーティングエリアを通じてコンスタントである。その一方で、他のパラメータは、１のセルサイト（セルサイトは、ある実施形態においては、例えば３つなど、いくつかの異なるセルによって構成されてもよい）のセルにおいてのみコンスタントである。
【００３６】
図６は、複数セルを含むネットワークを示す。ここで、タグ値４、５，６は、より大きなエリアにおいて有効なシステム情報ブロックに対応する。これらの大きいエリアは、図６において、点線、若しくは斜線によって分割されている（即ち、図６に示すネットワークは、３つの独立した大きなセルエリアに分割される。）。（複数セルを含む）第１のセルエリアでは、タグ値４が全てのセルにおいて有効である。第２のセルエリアにおいては、タグ値５（タグ値４はない）が全てのセルにおいて有効である。第３のセルエリアでは、タグ値６（タグ値４、５はない）は全てのセルにおいて有効である。図６のセルＡ、Ｂ及びＣは、全て第1のセルエリアに属し、セルＤは第２のセルエリアに属する。ある実施形態においては、各セルサイト（例えば、図６においてシェーディングで示される共通タグを利用する３つのセルのグループ）は、単一キャッシュタグを有する固有のシステム情報ブロックを有しても良い。
【００３７】
図６を再度参照して、各セルは２つの有効タグ値を有する、即ち、２つの有効情報ブロックを有する（例えば、セルＣは二つの有効タグ値、即ち４と３０を有する。）。いくつかのシステム情報パラメータは、（例えば、図６の点線若しくは斜線によって分割されている）より大きなエリアのセルグループによって共有されている。対応するタグ値は、各セルの左側の数字において示されている（タグ値４、５及び６）。他のシステム情報パラメータは、より少ない数のセルによって共有されているブロック５５内にある。例えば、タグ値２６は、第1のセルエリアの特定のセルサイトの３つのセルによってのみ共有されている。この第２のブロックに対応するキャッシュタグは、各セルの右側の番号において示されている。このように、例えば、移動局３０が図６のセルＡからセルＢに移動した場合、スレーブチャネル情報システムブロック５５は、セルＢにおいてタグ４及び２６が依然として有効である（即ち、セルチェンジに基づき有効となった新規タグはない）ので、ＭＳによってリードされる必要がない。しかしながら、ＭＳが図６のセルＡからセルＣへ移動する場合、ＭＳは、（タグ値３０に対応するブロックが既にＭＳによって格納又はキャッシュされている場合を除き）ＭＳがセルＣのタグ値３０に対応する新システム情報ブロック５５をリードしなければならないように、新タグ値３０が有効であると決定する。しかし、タグ値４に対応するブロック５５は、当該タグ値がセルチェンジを介しても依然として有効であるので、これをリードする必要はない。図６では、セルＡからセルＤへ移動するＭＳ３０は、２つの異なるタグ値がセルＤにおいて有効であると決定する。よって、セルＤに入ることにより、ＭＳは、（タグ値５及び３１に対応するブロックが既にＭＳによって格納又はキャッシュされている場合を除き、）セルＤのスレーブチャネルからタグ値５及び３１に対応するシステム情報ブロック５５をリードしなければならない。更なる実施形態では、３以上のタグ値が所定の時間、セル内で有効であっても良い。図６から明らかなように、システムオペレータは、システムパラメータをオペレータが実施したい新しい及び／又は変化したパラメータに適応するように操作するため、ネットワークオペレーションの際に、ネットワーク全体についてセル内のタグ値を動的に変化させてもよい。
【００３８】
図７は、マスター制御チャネルでＢＳ１５、２８によって送信されるヘッダーブロック（ここでは、マスター情報ブロックとも呼ばれる）５７の例、及び、ＢＳによってスレーブチャネル１−３によって送信される典型的なシステム情報ブロック５５の例を示す。本発明のある実施形態では、マスターチャネルで送信されるヘッダーブロック５７は、ロケーション及び／又はスレーブチャネルで送信されるシステム情報ブロック５５パラメータを規定してもよい。例えば、タグ値４が有効であることを示すヘッダー又はマスター情報ブロック５７は、いつ、及び、どこでタグ値４のパラメータセッティングを含むシステム情報ブロック５５が送信されるか（即ち、どのスレーブチャネルか、及び、当該チャネルのどの時間／フレームか）を受信移動局３０に通知するための情報をも含んでいても良い。この概念は、図８及び１１に示される（即ち、マスター情報ブロック５７は、適当なスレーブチャネル及び／又はシステム情報ブロックへ受信ＭＳを向かわせる情報を含んでいても良い。）。
【００３９】
図７、８が、異なる制御チャネルで送信されるブロック５５及び５７を示す一方で、これは本発明の全ての場合において当てはまるものではない。たとえば、ある別の実施形態では、ヘッダーブロック５５及び５７は、同一チャネルでブロードキャスト又は送信されてもよい。
【００４０】
図９は、セル境界を越えて共有されるシステム情報パラメータに関する本発明の典型的な実施形態を示す。例えば、コアネットワークのような情報ある種のシステム情報は、多くのセルにおいて同一であってもよい。セルチェンジにおいてそのような情報の再リードを回避するために、そのような情報を含むシステム情報ブロック５５は、長い有効期限（下記により詳細に説明する。）、及び／又は、比較的大きい値のタグ（ある実施形態においては、長い有効期限は大きな値のタグに対応しても良い。）を有しても良い。同様に構成されたセル内において同一タグ値を使用することにより、移動局３０によるセルチェンジの際の、システム情報ブロック５５を再リードをを排除しても良い。比較的大きなタグ値を使用することにより、相互に異なる情報を有する多くのエリアが形成されてもよい。図９に示すように、セルＡ及びセルＢは同一タグ値７を使用する。このように、セルＡとセルＢ間を移動する移動局３０は、タグ値７に対応するシステム情報ブロックを再リードする必要がない。しかしながら、セルＣは異なるシステム情報ブロック値を利用するので、異なる有効タグ値１２を有する。このように、例えばセルＢとセルＣの間を移動する移動局は、タグ値１２に対応するシステム情報ブロックを新セルＣに入った際に（ＭＳによって既にそれが格納されている場合を除き）リードしなければならない。
【００４１】
図１０は、本発明の実施形態に対応した処理のフローチャートであり、ここにおいてＭＳ３０は、あるセルから別のセルに移動する。ステップ１０１において、セルチェンジが行われたか（例えば、ＭＳが新マスター制御チャネルにロックオンしているかどうか）が決定される。もし、そうであれば、ＭＳ３０は、新マスター制御チャネル上の受信ヘッダーブロック５７の有効タグを、新セルのためにリードする（ステップ１０３）。ＭＳは、当該新セルの有効タグ値に対応する有効期限内のシステム情報ブロック５５を、メモリー４３内に格納しているかどうかを決定することにより、受信した有効タグを分析する（ステップ１０５）。もしそうであれば、ＭＳは、同一情報を再リードする必要がなく、ＭＳは直ちにアクセス試行を実行するか、若しくは、スリープ又はアイドルモードに戻る（ステップ１０７）。しかしながら、もしステップ１０５において、格納されていない有効期限内のシステム情報ブロック５５のために、新タグ値をＭＳがリードすることが決定された場合は、ＭＳは、当該新セルにおいて有効なタグ値のいくつかのみについてのシステム情報ブロック５５を格納しているかどうかを決定する（ステップ１０９）。もしそうであれば、ＭＳは、有効タグのために既に格納されているシステム情報ブロック５５及び対応するシステム情報パラメータを検索する（ステップ１１１）。ＭＳは、新規の若しくは不知の有効タグ値のためのシステム情報ブロック５５が、いつ当該新セルのために基地局からブロードキャスト又は送信されるかを、ヘッダーブロック５７により決定する（ステップ１１３）。ＭＳ３０は、新タグ値に対応する適当なシステム情報ブロック５５を、適当なスレーブチャネルからリードする（ステップ１１５）。ＭＳが位置する新セル内の全ての有効タグに対応するパラメータを一旦格納すれば、それは、アクセス試行を行い、スリープ又はアイドルモードに戻ってもよい（ステップ１０７）。ＭＳ３０は、セルチェンジ、タグの期限、同一セル内のマスターブロックの新タグの存在、又は、リードされる必要のある新システムパラメータブロックを監視しても良い。
【００４２】
図１１を参照すると、各ヘッダーブロック５７は、例えばＰＬＭＮ識別子、セル識別子、ヘッダーブロックにより識別される有効タグと関連するシステム情報ブロックのリスト（即ち、セルにおいて現在利用されているブロック５５のリスト）、タグ値、いつ及びどこで、対応するシステム情報ブロックがＢＳによってセル内で送信されるかに関連するスケジューリング（例えば、時間／フレーム及びスレーブチャネル）情報を含む。各瞬間において、セル内では情報ブロック５５のセットが使用されている。これらのブロック５５のリストは、セル内でＢＳにより例えば、ＢＣＣＨ等のマスター情報ブロック５７の形式で繰り返しブロードキャストされる。マスター情報ブロック５７は、好ましくは、比較的高い、所定の反復率でブロードキャストされる。異なるブロック５５は、異なる反復率においてブロードキャストされても良い。このように、高いレートでブロードキャストされるブロック５７と干渉する事なく、低いレートでブロック５５を介して大量のシステム情報をブロードキャストすることが可能である。
【００４３】
ＰＬＭＮ識別子（例えば、ＰＬＭＮ２７）は、ＭＳ３０にヘッダーブロック５７を受信してどのネットワークに接続されているかを知らせることができる。一般に、ＭＳは、セル内でブロードキャストされるタグを評価する前に、どのネットワークに接続されているかを知る必要があってもよい。さらに、各ネットワークオペレータは、誤ったネットワーク（ＰＬＭＮ）にキャッシュされたブロックを利用したＭＳのローミングの危険なく、他のネットワークの他のオペレータとは独自にタグの使用を計画することができる。さらに、各ヘッダーブロック５７は、受信ＭＳは、どのセルに位置しているかを認識するか、または、ネットワーク内のどのセルにブロックが対応するかを認識するために、セル識別子を含んでいても良い。
【００４４】
図１１を更に参照して、各ヘッダーブロック５７は、ヘッダーブロック５７が属するセルにおいて有効である全てのタグのリストを含んでいてもよい。例えば、図１１のセルＡでは、ヘッダーブロック５７は、タグ値４、２６、及び１８１の全てが有効であることを示す。また、セルＢのヘッダーブロック５７は、タグ４、２６、１８２が有効であることを示す。各ヘッダーブロック５７はまた、各有効タグ値に対応するシステム情報ブロック５５をブロードキャストするためにセル内で利用される、スレーブチャネルを識別する。図１１を参照すると、セルＡにおいて、スレーブチャネル１は、タグ値４及び２６に対応する適当なパラメータを含むシステム情報ブロック５５をブロードキャストすることが分かる。その一方で、スレーブチャネル２は、タグ値１８１に対応するパラメータをブロードキャストするためにＢＳによって利用されることが分かる。そのような手法において、受信ＭＳは、どのスレーブチャネルがまだキャッシュ又は格納されていない新タグ値に関連する、要求されるシステム情報ブロック５５をリードするためにアドレスされるかを知る。さらに、各ヘッダーブロック５７は、受信ＭＳに、対応するシステム情報ブロック５５の次の送信時間、及び／又は、当該ブロックが送信される適当なフレームを決定することを許可する情報を含めても良い。
【００４５】
図１２によれば、ヘッダーブロックは当該ブロックがブロードキャストされるセルにおいて有効な情報を一般には含む。しかしながら、ここに記載されるある実施形態においては、セル内の基地局は、時には迅速かつ／又はより効果的なセルチェンジのために、隣接セルに属するヘッダーブロック５７ｂ、及び対応するシステム情報ブロック５５をブロードキャストしてもよい。そのような場合、ヘッダーブロックは、セル識別子、無線チャネルスクランブルコード、若しくは他の適当な手法により、どのセルに属するのかを識別すべきである。この場合、同一のシステム情報を有する新セルへのセルチェンジでは、ＭＳはブロードキャスト制御チャネル（ＢＣＣＨ）をリードしなくてもよい。これは、セルがわずかに異なるパラメータセッティングを有する場合に、ＭＳがあるセルから別のセルへ移動する際、例えそれらのセルに最近は訪れていないとしても、高速なセルチェンジを促進する。もし、隣接セルが、サービスセルで利用されていないシステム情報ブロック５５を利用している場合、これらのブロックはサービスセルにおいて、好ましくは、より長い反復インターバルにおいて続けてブロードキャストされてもよい。ＭＳは、当該新セルに移動する前に、この情報をリードすること及びそれを前もってメモリー４３に格納することを選択することができる。もし、ＭＳ３０が後に隣接セルに移動する場合、ＭＳは既に、当該セルで必要とされる全て、若しくはほとんどのシステム情報を有していることとなる。図１２は、特定のサービスセルにおいてマスター制御チャネルにて送信されるヘッダーブロック５７を示す。図に示すように、サービスセルの基地局は、サービスセルに対応するヘッダーブロック５７ａと、隣接セルに関連するヘッダーブロック５７ｂの両方を送信する。図示するように、隣接セルのヘッダーブロック５７ｂの送信インターバルは、サービスセル自体のヘッダーブロック５７ａのインターバルよりも実質的に大きい。
【００４６】
図１３は、スレーブチャネル１及び２のそれぞれにて、セルＡにおいてブロードキャストされる典型的なシステム情報ブロック５５を示す。図示するように、各システム情報ブロック５５は、タグ値、有効期限、及び、リストされたタグ値に対応するシステム情報パラメータ値のリストを含むことができる。ここでは、スレーブ制御チャネル１は、タグ値４及び２６に対応するブロック５５をブロードキャストし、スレーブチャネル２は、タグ値１８１に対応するブロック５５をブロードキャストする。
【００４７】
図１３を更に参照すると、異なる有効期限が各タグ値についてリストされている。この点について、キャッシュされ、又は、格納された情報を扱う場合、いくつかの理由により無効となったキャッシュ情報を利用することを回避するための予防措置が時として必要である。例えば、いくつかのパラメータは、オペレータの行動の結果として変化するかもしれないし、かつ／又は、他のパラメータは、トラヒック、ロード、インターフェースなどの状況に応じて自動的に変化するかもしれない。そのような場合、移動局３０に古いキャッシュ値は最早使用できないことを通知するために新タグが利用されても良い。しかしながら、ここに述べるように古いタグ値を再利用しなければならない場合もある。極端に古いキャッシュブロックを間違いによって利用する危険をなくし、これを可能とするためには、図１３に示すように、安全性を保証するための有効期限が各システム情報ブロック５５に与えられても良い。受信移動局３０は、適切な有効期限が切れるまではブロック５５の値を利用しても良く、それ以後は、当該値は最早使用されず、好ましくはメモリーから削除される。その後ＭＳは、情報を再リードする。
【００４８】
各システム情報ブロック５５は、図１３に示す適当なパラメータ値と共に、当該ブロックのタグ値（例えば４）に対応する、好ましくは１以上のシステム情報パラメータ（例えば、Ｘ、Ｙ、及び／又はＺ）を含む。これは、パラメータのセットと共に特定のブロックタイプを予め定義することによって、及び／又は、各ブロック５５内に各パラメータのための単一の識別子を含むことによって、又は、どのパラメータが特定のブロックに含まれているかを示すビットマップによって達成されても良い。
【００４９】
ある実施形態において、いくつかのブロック５５は、標準規格によって規定されていても良い。しかし、ネットワークオペレータは、独自のシステム情報ブロック５５タイプを定義するためのメカニズムを提供されてもよい。ブロックタイプは、セルラーネットワーク全体において有効であっても良いが、全てのセルにおいて利用されなくても良い。好ましくは、セルラーオペレータの定義するタイプに対応するシステム情報ブロックタイプの定義は、比較的低い反復レートにてセルへブロードキャストされる。定義には、例えば、当該タイプオンブロックに含まれるパラメータ若しくは他の情報要素のリストが含まれていてもよい。タイプ定義の実際のエンコーディングは、例えばリスト、ビットマップなど、様々である。もし、新パラメータが標準規格が設定された後に追加された場合、古い移動局３０が依然としてブロックをリードし、理解可能なパラメータを利用できるように、それらは、新パラメータ識別子を与えられ、ブロックの末尾に位置してもよい。さらに、２以上のネットワーク間のローミングを実現するためには、ＭＳ３０は、異なるセルラーネットワークのブロックタイプを格納してもよい。
【００５０】
各システム情報ブロックは、ある実施形態において、以下の、ブロックタイプ、有効期限、タグ値、及び／又はパラメータ値等のフィールドを含んでいても良い。当該ブロックタイプは、デフォルト有効期限、タグ値のサイズ、ブロック５５の範囲と同様に、どのシステム情報要素、又は、パラメータが当該ブロックに含まれているかを規定するブロックタイプ定義を参照する。範囲とは、ブロック５５が潜在的に利用されるエリアであり、当該ブロックがブロードキャストされるセル又は、ＰＬＭＮのいずれかでもよい。ＰＬＭＮ範囲の場合、ブロック５５は、ここで説明するタグ値に基づき同一ＰＬＭＮ内の他のセルにおいて利用されてもよい。有効期限は、もちろん、ＭＳによって利用されるパラメータ値が、再リードされることなくどの程度の期間有効であるかを示す。もしこのフィールドがブロック５５に存在しない場合は、デフォルト有効期限がＭＳによって利用される。このように、ブロック５５を受信するＭＳは、以下の条件に従う限り、当該ブロックのパラメータ値を利用しても良い。１）有効期限が切れた又は、過ぎていないこと、２）現在のセルがシステム情報ブロック５５の範囲内にあること、３）ブロックタイプ及びタグ値が、マスターブロック５７によって示されるように、ＭＳが位置する現在のセルにおいて現在有効であること。
【００５１】
図１３は、ＢＳが位置するセルにおいて有効なタグに関連する、３つの異なるシステム情報ブロック５５をブロードキャストするために、２つの異なるスレーブチャネルを利用するＢＳを示す。他の実施形態においては、ＢＳは、隣接セルにブロック５５をブロードキャスト又は送信しても良い（例えば、図１４における、隣接セルにおいて有効であるが、送信ＢＳが位置するセルにおいては有効でないタグ値１８２に対応するブロック５５を参照）。図１４の実施形態において、ＢＳによって送信されるほとんどのブロック（タグ値４、２６、１８１）は、ＢＳのセル（即ちセルＡ）内で有効なタグに関連する。しかし、時には、他の若しくは隣接セルにのみ関連するブロック５５が、送信される（この場合、ブロック５５は、セルＢにおいて利用されるタグ値１８２を含む）。隣接セルへのブロック５５の送信インターバルは、好ましくは、サービスセルにおいて有効なタグの値を含むブロック５５のものよりも長い。このように、移動局３０は、現在利用されていないブロック５５を格納してもよい。これは、それらのタグが現在のセルにおいてリストされていないが、これらの格納されたブロック５５が、いずれＭＳが訪れる他のセルに適用できることを想定したものである。ＭＳが最近あるパラメータセッティングを有するセルを訪れ、現在は異なるセッティングのセルを訪れている場合を考えてみる。最近訪れたセルからのブロック５５は、現在のセルにおいては有用ではない。しかし、ＭＳが当該セル又は、同一セッティングのセルに入る場合を想定して、最近訪れたセルからのブロック５５をメモリー４３に格納していても良い。実際、現在のセルにおいては利用されないが、隣接又は近傍のセルにおいて利用されるブロードキャストシステム情報ブロック５５は、ＭＳがそのようなブロックを将来有用になる場合を想定して格納するために、図１４に示すようにブロードキャストされても良い。しかしながら、（セルロードのようなコンスタントに更新されるパラメータなどの）いくつかのシステム情報パラメータについてのキャッシュ又は格納は好ましくはなく、その代わりに直接のブロードキャストが好ましいことがある。
【００５２】
夫々のＭＳ３０はメモリー４３に、現在のサービスセル（即ち、ＭＳが位置するセル）において有効なシステム情報パラメータ値のリスト、サービスセルにおいて現在有効なタグのリスト、及び／又は、サービスセルにおいて現在有効なシステム情報ブロックを格納している。さらに、各ＭＳ３０は、それぞれの有効期限が切れるまで、受信したシステム情報ブロック５５をも格納していても良い。任意に、各ＭＳは、隣接セルの現在有効なタグのリストを格納していても良い。
【００５３】
ＭＳが位置するセルについてヘッダーブロック５７がリードされるたびに、ブロックタグリストが依然に格納されたリストと比較される。もし、タグが除去された場合は、対応するパラメータは、有効なシステム情報ブロック５５において受信されるまで不知のものとみなされる。もし、（例えば、ＭＳが新しいセルへ入ったことにより）新タグが発生したら、ＭＳはマッチするタグを有する格納されたブロックについてメモリー４３内を検索する。もし、対応するもの（かつ、有効期限が切れていないもの）を発見した場合は、対応する情報がパラメータリストに登録される。もし、タグが見つからなければ、ＭＳはマスターブロックに示される適当なブロードキャストスレーブチャネルからシステム情報ブロックをリードする。
【００５４】
本発明の実施形態に対応してある利点が認識されるであろう。ある実施形態においては、ＭＳ３０は、セルチェンジ又は他の場合において、同一システム情報を、もしそのような情報が既にリードされ、ＭＳによって格納され、かつ、期限が切れていない場合には、再リードする必要はない。このことは、無線リソースを保護し、ＭＳのバッテリー消費を減少させ、よって、スタンバイ時間を改善する。ある実施形態においては、セルチェンジの際の新システム情報のリードの遅延は、格納されたシステム情報ブロック５５を再利用することにより低減された。新システム情報ブロック５５（これは、新しい有効タグ値に対応するものである。）のみが、セルチェンジにおいてリードされる必要がある。さらに、マスターブロック５７は、いつ、どこで、新システム情報ブロック５５が新セルの基地局によって送信されるかを、受信ＭＳに正確に通知してもよい。ある実施形態においては、システム情報ブロック５５の連続的な送信順番は、ネットワークオペレーションの間にダイナミックに変化しても良い。移動局３０は、各セル内でブロードキャストされるシステム情報メッセージにおいて、時間スケジュールを通知されても良い。さらなる実施形態では、システム情報パラメータのブロック分割が、ネットワークオペレータによって設定されてもよい。このように、将来どのパラメータが変化するかを、前もって正確に予期しておく必要はない。このように、無線／エアインターフェースにおける、高い柔軟性、低いＭＳ電力消費、及び／又は、低リソース要求が達成される。
【００５５】
図１５は、比較的長い有効期限を有するので、あまり頻繁には更新されないシステム情報パラメータに関連する、所定のセルにおける本発明の典型的な実施形態のグラフを示すものである。殆ど更新されないパラメータは、例えば、隣接セル関係、及び／又は、ある物理チャネルパラメータを含む。そのような情報は、全ての移動局３０が当該システム情報を再リードしなければならないような状況でセルが再構成されない限り、しばしば、セルチェンジにおいてリードされる必要があるのみである。そのようなパラメータは稀にしか変化しないので、それらは、長い有効期限、及び／又は、比較的小さいタグサイズ値（例えば２ビット）を有する１以上のシステム情報ブロック５５に位置しても良い。新しいセルに入るＭＳ３０は、マスター制御チャネル上のマスター情報ブロック５７をリードすることにより、そのようなシステム情報ブロック５５の存在を検出する。ＭＳが新セルにおける有効なタグ（例えば図１５のタグ値３）に関連するシステム情報パラメータを格納していない場合、ＭＳは、システム情報ブロック５５を１度リードし、別のブロック５５を再リードすることなく１時間の有効期限内においてこれを利用する（又は、少なくともそれを利用し、及び／又は、格納する）。もし、６１における再構成により当該情報が変更されなければならない場合は、それに従い、対象セル内でマスターブロック５７のタグ値が変更される（図１５の時間Ｔで示すように、３から４へ変更される）。その後、セル内の移動局３０はマスター情報ブロック５７を再リードするようにページングされる。変更されたタグ値は、受信移動局３０に、タグ値３に対応する古いシステム情報ブロックを捨てて、タグ値４に対応する新しいシステム情報ブロックをリードするように指示する。
【００５６】
図１６は、比較的頻繁に周期的に更新されるシステムパラメータに関連する、本発明の実施形態のグラフを示す。そのようなパラメータには、例えば、干渉、トラヒック、測定が含まれる。そのようなパラメータは、短い時間においてのみ有効であり、必要に応じ、又は、比較的頻繁に、移動局３０によって再リードされるように設計されている。これは、そのようなシステム情報パラメータ又は要素を、タグ値を有さず、有効期限が短く、及び／又は反復レートが高い、１以上のシステム情報ブロック５５に配置することによって達成されても良い。図１６から分かるように、図１６のシステム情報ブロック５５にはタグ値が提供されておらず、有効期限も各ブロックにつきたった１秒である。ブロックタイプ２の有効期限を１秒に設定することにより、受信移動局３０は、常に最新の情報を利用することとなり、そのタイプの情報が必要であれば、タイプ２のシステム情報ブロック５５を毎秒再リードしなければならない。ある実施形態においては、ブロードキャスト反復インターバルは、図１６に示す有効期限と同一時間に設定されても良い。また、スレーブチャネル上でのブロードキャスト反復インターバルを、新しく到達した移動局のアクセス遅延時間を少なくするために、より短くしてもよい。
【００５７】
図１５及び図１６の実施形態は、単独で又は互いのコンビネーションにおいて利用されても良い。コンビネーションにおいて利用する場合は、セル内のいくつかの有効タグは、長い有効期限を持つブロック５５を有してもよい一方で、セル内の他の有効タグは、短い有効期限を持つブロック５５を有してもよい。さらに、（例えば、非常に短い有効期限が適する場合は、）セル内の他のブロック５５及び／又は５７は、図１６に示す実施形態においてタグを有しなくても良い。
【００５８】
図１７ａ及び１７ｂの表は、本発明の典型的な実施形態に対応したシステム情報ブロック及びマスターブロックを規定する。”エリア範囲”の列（カラム）は、ブロックが有効なエリアを規定する。もし、エリア範囲がセルであれば、ＭＳは新しいセルに入るたびにブロックをリードする。もし、エリア範囲がＰＬＭＮであれば、上述のように新しいセルが登録された場合に、ＭＳはシステム情報ブロックのタグ値をチェックするだけで良い。もし、新しいセルのブロックのタグ値が、既存の古いセルのシステム情報ブロックのタグ値と異なる場合は、ＭＳは、上述のようにシステム情報ブロックを再リードする。
【００５９】
ＵＥ（user equipment若しくはＭＳ）モード／状態のカラムは、どのＭＳモード若しくは状態において、システム情報ブロック内のＩＥが有効であるかを示す。もしＵＥモードが”アイドルモード”であるなら、ＭＳはシステム情報ブロックによって与えられたＩＥをアイドルモードにおいて利用する。もし、モードが“接続モード”であれば、ＭＳは、システム情報ブロックによって与えられたＩＥを接続モードにおいて利用する。もし、ＵＥ状態がＣｅｌｌ＿ＦＡＣＨであれば、ＭＳは、システム情報ブロックによって与えられたＩＥを、Ｃｅｌｌ＿ＦＡＣＨ等の状態において利用する。図１７のトランスポートチャネルは、ブロックがブロードキャストされる場所（即ち、ＢＳのどのチャネルか）を規定する。もし、トランスポートチャネルがＢＣＨであれば、ＭＳはＢＣＨトランスポートチャネルにおいてブロックをリードする。
【００６０】
図１７におけるスケジューリング情報のカラムは、ＳＩＢの位置及び反復周期を規定する。ある実施形態においては、システム情報ブロックのスケジューリングは、ＵＴＲＡＮのＲＲＣレイヤーによって実行されても良い。もし、セグメンテーションが利用されるならば、各セグメントを独立にスケジュールしてもよい。
【００６１】
ある実施形態において、異なるタイプのシステム情報ブロックの更新には、異なるルールが適用されてもよい。もし、システム情報ブロックがマスター情報ブロック若しくは高レベルシステム情報ブロックにおいてタグ値を有する場合は、ＵＴＲＡＮは、タグ値を変更することにより、いつ情報要素を修正するかを示してもよい。システム情報が修正されると、ＵＴＲＡＮは、そのような変化を移動局に示すために以下のアクションを実行してもよい。（１）対応するシステム情報ブロックにおける実際のシステム情報を更新する。（２）古いシステム情報ブロックの代わりに、ＢＣＣＨ上で更新されたシステム情報ブロックの送信を開始する。（３）もし、更新されたシステム情報ブロックが高レベルシステム情報ブロックにリンクされている場合は、当該高レベルシステム情報ブロックを修正されたシステム情報ブロックのタグ値によって更新する。（４）マスター情報ブロックを、修正されたシステム情報ブロックのタグ値によって更新し、マスター情報ブロックのタグ値を変更する。（５）新しいマスター情報ブロックを、古いマスター情報ブロックの代わりに、ＢＣＨ上にマッピングされたＢＣＣＨ上で送信する。（６）新しいマスター情報ブロックを、ＣＥＬＬ＿ＦＡＣＨ状態にある移動局の全ての届くように、ＦＡＣＨ上にマッピングされたＢＣＣＨ上で送信する（ＵＴＲＡＮは、当該情報を必要とする全ての移動局が適切に受信できるように、ＦＡＣＨ上の新しいマスター情報ブロックをリピートしても良い）。（７）ＣＥＬＬ＿ＦＡＣＨ及びＵＲＡ＿ＰＣＨ状態において接続モードにある移動局と同様に、アイドルモード移動局に到達するためにページングタイプメッセージをＰＣＣＨ上で送信する。（８）より頻繁に変更される必要のないシステム情報が、ＵＴＡＮでサポートされる最大限のＤＲＸサイクルで動作する移動局により調整される。
【００６２】
システム情報要素のいくつかを修正する（例えば、チャネルの再構成）ためには、移動局が変化の発生を正確に認識することが重要である。そのような場合、ＵＴＲＡＮは、移動局に変化を示すために以下の行動を実行することができる。（１）異なる状態において接続モードにある移動局と同様に、アイドルモード移動局に到達するために、ＰＡＧＩＮＧ  ＴＹＰＥ１メッセージをＰＣＣＨ上で送信する（ＩＥ”ＢＣＣＨ修正情報”において、ＵＴＲＡＮは、変化が発生する時間、及び、変化後にマスター情報ブロックに適用される新しいタグ値を示してもよい。）（２）”システム情報変更指示”メッセージを、ＣＥＬＬ＿ＦＡＣＨ状態にある移動局の全ての届くように、ＦＡＣＨ上にマッピングされたＢＣＣＨ上で送信する（これは、ある実施形態においてリピートされても良い）。（３）実際のシステム情報を更新し、対応するシステム情報ブロックにおけるタグ値を変更する。（４）マスター情報ブロックを当該タグ値により更新し、マスター情報ブロックのタグ値を変更する。（５）指示された時間において、古いマスター情報ブロックの代わりに、ＢＣＨ上にマッピングされたＢＣＣＨ上で新しいマスター情報ブロックの送信を開始し、更新されたシステム情報ブロックをＢＣＣは上で、古いシステム情報ブロックの代わりに送信する。
【００６３】
本発明は特定の実施形態に関連して記載されてきた一方で、当業者は、本発明がここに記載、図示された特定の実施形態に限定されるものではないことを理解するであろう。ここに示し、記載したものと異なるフォーマット、実施形態、適用は、多くの修正、変形、および均等な置換同様、本発明を実施するために利用されても良い。
【図面の簡単な説明】
【図１】  本発明を適用したＵＭＴＳの機能ブロック図である。
【図２】  本発明の実施形態における図１のネットワーク／システムにおいて利用される移動局（ＭＳ）の機能ブロック図である。
【図３】  本発明の実施形態における図１のネットワーク／システムにおいて利用される、無線ネットワーク制御装置（ＲＮＣ）及び対応する基地局（ＢＳ）の機能ブロック図である。
【図４】  有効タグ値が第１のセルから第２のセルにかけて同一である場合のようなセルチェンジの際に、ＭＳが依然として有効なシステムパラメータを再リードする必要がない場合を示す、本発明の実施形態に対応した概念図である。
【図５】  図１のシステム／ネットワーク内の複数のセルを通るＭＳのパスを示す本発明の概念図であって、併せて、セルチェンジに基づき、ＭＳが新規システム情報パラメータをリードする必要がある場合と、必要ない場合を示したものである。
【図６】  各セルグループが特定グループ内の他のセルと共通の少なくとも１の有効タグを有する、３つの独立するセルグループに区別された複数のセルを示す、図１のシステム／ネットワークにおける概念図である。
【図７】  図１から図６に示すシステム／ネットワークにおいて利用される複数の異なる制御チャネルの概念図である。
【図８】  マスター制御チャネルで送信されるマスター情報ブロックが、移動局を特定のスレーブチャネルへ向かわせる情報及びそこへ送信されるシステム情報ブロックを含むことを示す図である。
【図９】  本発明に対応したシステム／ネットワークの３つの異なるセルを示す図であり、ここにおいて同一タグ値（及びそれに対応する同一システム情報パラメータ）が、３つのうちの２つのセルにおいて有効である場合を示している。
【図１０】  本発明の実施形態に対応するセルチェンジに基づき、ＭＳが行う処理のフローチャートである。
【図１１】  図１のネットワーク／システムの第１及び第２のセルにおける各マスター制御チャネルで送信される、各ブロックがスレーブチャネル及び／又は特定の有効タグ値に関連するスケジューリング情報を含む第１及び第２のヘッダーブロックを示す図である。
【図１２】  基地局が、当該基地局及び隣接セルによって定義されるセルの両方にマスター制御チャネルでヘッダーブロックを送信する、本発明の実施形態に対応したブロック図である。
【図１３】  図１のシステム／ネットワークのセル内の第１及び第２のスレーブ制御チャネルで送信されるパラメータシステム情報ブロックを含む、本発明の実施形態に対応したシステム情報ブロックを示す図である。
【図１４】  本発明の実施形態において、各タグ値が、所定のスレーブチャネル上で異なる時間インターバルを有することを示す図である。
【図１５】  いかにして移動局（ＭＳ）が特定のセルにおいて有効タグ値の変化を検出することにより新規システム情報パラメータを受信するかを示す、本発明の実施形態に対応したグラフである。
【図１６】  タグ値が与えられず、移動局がシステム情報データを周期的更新により受信した場合には、それが有効なシステム情報パラメータ／要素として短期間利用される、本発明の実施形態に対応したグラフである。
【図１７ａ】、
【図１７ｂ】  本発明の実施形態に対応した典型的なシステム情報ブロック及びマスターブロックの特徴を示すグラフ／テーブルである。
【図１】
0004489977.tif 000002
【図２】
0004489977.tif 000003
【図３】
0004489977.tif 000004
【図４】
0004489977.tif 000005
【図５】
0004489977.tif 000006
【図６】
0004489977.tif 000007
【図７】
0004489977.tif 000008
【図８】
0004489977.tif 000009
【図９】
0004489977.tif 000010
【図１０】
0004489977.tif 000011
【図１１】
0004489977.tif 000012
【図１２】
0004489977.tif 000013
【図１３】
0004489977.tif 000014
【図１４】
0004489977.tif 000015
【図１５】
0004489977.tif 000016
【図１６】
0004489977.tif 000017
【図１７ａ】
0004489977.tif 000018
【図１７ｂ】
0004489977.tif 000019